(57)【要約】  【課題】  バックライトと一体の平面表示パネルを、シャーシフレーム及びフロントキャビネットに取付けて成るディスプレイ装置であって、壁掛け型として適し、かつ組立の容易なディスプレイ装置を提供する。  【解決手段】  映像表示部を前面に有し、側面外周に複数のラグ  １８を設けた平面表示パネル１７と、フロントキャビネット１１の内面に取り付けられ前記複数のラグに対向する位置に配置した複数の固定金具１５と、平面表示パネルの背面に取付けられ、前記複数のラグと対向する位置に固定片２２が設けられたシャーシフレーム１９とを有し、シャーシフレームの固定片２２と平面表示パネルのラグ１８とをネジ２３で固定してシャーシフレームと平面表示パネルを一体化し、前記固定片２２と複数のラグ１８を固定金具１５に固定するようにしたディスプレイ装置。  【選択図】  図１
2005260499.tif 000002
【特許請求の範囲】
【請求項１】
映像を表示する映像表示部を前面に有し、前記映像表示部の側面外周に複数のラグを設けた平面表示パネルと、
前記平面表示パネルの前面部に取付けられるフロントキャビネットと、
前記フロントキャビネットの内面において前記複数のラグに対向する位置にそれぞれ取り付けられた複数の固定金具と、
前記平面表示パネルの背面に取付けられ、前記複数のラグと対向する位置にそれぞれ固定片が設けられたシャーシフレームと、
前記シャーシフレームの複数の固定片と前記平面表示パネルの複数のラグとを固定して前記シャーシフレーム及び前記平面表示パネルを一体化するとともに、前記複数の固定片と複数のラグを前記固定金具に固定するための固着具とを具備したことを特徴とするディスプレイ装置。
【請求項２】
前記固定金具は、略矩形状に形成された本体部を有し、この本体部にネジ孔と前記フロントキャビネットへの取付け位置を規定する位置決め手段とを設け、前記位置決め手段によって前記フロントキャビネットへの取付け位置を規定し、前記ネジ孔にネジを螺入することにより、前記固定金具をフロントキャビネットに取付けるようにしたことを特徴とする請求項１記載のディスプレイ装置。
【請求項３】
前記シャーシフレームの複数の固定片と前記平面表示パネルの複数のラグとを固定する前記固着具はネジであることを特徴とする請求項１記載のディスプレイ装置。
【請求項４】
映像を表示する映像表示部を前面に有し、前記映像表示部の側面外周に複数のラグを設けた平面表示パネルと、
前記平面表示パネルの前面部に取付けられるフロントキャビネットと、
前記フロントキャビネットの内面において前記複数のラグに対向する位置にそれぞれ取り付けられた複数の固定金具と、
前記平面表示パネルの背面に取付けられ、前記複数のラグと対向する位置にそれぞれ固定片が設けられたシャーシフレームと、
前記シャーシフレームの複数の固定片と前記平面表示パネルの複数のラグとを固定して前記シャーシフレーム及び前記平面表示パネルを一体化するとともに、前記複数の固定片と複数のラグを前記固定金具に固定するための固着具と、
前記シャーシフレームを覆い前記フロントキャビネットと一体的に固定され、背面に壁面取付け用部材を設けたバックカバーとを具備したことを特徴とするディスプレイ装置。
【請求項５】
映像を表示する映像表示部を前面に有する平面表示パネルと、
前記平面表示パネルの前面部に取付けられるフロントキャビネットと、
前記平面表示パネルの外周角部に装着され、一部が外方向に突出した固定部を有する複数の固定金具と、
前記平面表示パネルの背面に取付けられ、前記複数の固定金具のそれぞれの固定部と対向する位置にそれぞれラグが設けられたシャーシフレームと、
前記シャーシフレームの複数のラグと前記複数の固定金具の固定部とをそれぞれ固定して前記シャーシフレーム及び前記平面表示パネルを一体化するとともに、前記複数の固定金具の固定部と前記フロントキャビネットを固定するための固着具とを具備したことを特徴とするディスプレイ装置。
【請求項６】
前記固定金具は、前記平面表示パネルの４隅それぞれの前面側及び側面側に装着されるパネル装着部と、前記側面側に装着されるパネル装着部からから延出した前記固定部とからなることを特徴した請求項５に記載のディスプレイ装置。
【請求項７】
映像を表示する映像表示部を前面に有する平面表示パネルと、
前記平面表示パネルの前面部に取付けられるフロントキャビネットと、
前記平面表示パネルの外周角部に装着され、一部が外方向に突出した固定部を有する複数の固定金具と、
前記平面表示パネルの背面に取付けられ、前記複数の固定金具のそれぞれの固定部と対向する位置にそれぞれラグが設けられたシャーシフレームと、
前記シャーシフレームの複数のラグと前記複数の固定金具の固定部とをそれぞれ固定して前記シャーシフレーム及び前記平面表示パネルを一体化するとともに、前記複数の固定金具の固定部と前記フロントキャビネットを固定するための固着具と、
前記シャーシフレームを覆い前記フロントキャビネットと一体的に固定されたバックカバーと、
前記シャーシフレームを覆い前記フロントキャビネットと一体的に固定され、背面に壁面取付け用部材を設けたバックカバーとを具備したことを特徴とするディスプレイ装置。
【発明の詳細な説明】
【技術分野】
【０００１】
本発明は、映像表示装置として、平面表示パネルを用いたディスプレイ装置に関する。
【背景技術】
【０００２】
近年、テレビ受像機等のディスプレイ装置として、液晶ディスプレイやプラズマディスプレイ等のフラット型のディスプレイパネル（以下、平面表示パネルと称する）を用いたものが普及している。この平面表示パネルを用いたディプレイ装置は、奥行きを薄くできるために、携帯形テレビや壁面に設置できる壁掛け型テレビとして実用化されている。
【０００３】
例えば、特許文献１には、表示パネルが大型化しても表示装置の外形をコンパクトにできる装置が示されている。即ち、上記特許文献１に提案されている表示装置は、トップケース、液晶パネル、センターケース、ボトムケースから構成され、トップケース（フロントキャビネット相当）とセンターケースの間に液晶パネルを配置させてネジで固定し、そのセンターケースの背面にバックライト、反射板、及び拡散板からなるバックライト装置を取り付け、液晶パネルを駆動制御する回路基板をボトムケースに取付け、かつボトムケースとセンターケースとをネジで固定することで一体化した表示装置が開示されている。
【特許文献１】特開平９−１７２５９０号公報（第３，４頁、図５）
【発明の開示】
【発明が解決しようとする課題】
【０００４】
上記特許文献１の表示装置は、前記ボトムケースの裏面に設けたスタンドを用いて机上に設置するものであるが、平面表示パネルの画面サイズが大きくなり、かつ壁掛け形の表示装置として使用するには、更なる改善が必要となる。
【０００５】
即ち、特許文献１の表示装置では、前記トップケースとセンターケースとの間に液晶パネルを取付け、センターケースにバックライト装置を取付け、これらトップケース、液晶パネル、センターケース、バックライト装置とを一体化したものをボトムケースに固定する構造であるため、壁掛け型の表示装置として使用した場合には、トップケース側に多くの重量が掛かり過ぎるため、特許文献１の構造では不充分である。
【０００６】
また、この種の表示装置では、トップケースを取り外して各種機能の調整や点検を行う場合、センターケースとトップケースとの固定状態を外す必要があり、これによって液晶パネルもセンターケースから外れるため、結局、大部分の構成を分解することになるため、調整や点検がしにくいという不具合がある。
【０００７】
本発明は、このような事情に鑑みて、大型の平面表示パネルであっても、壁掛け型に適し、組み立て作業が容易で調整・点検がし易いディスプレイ装置を提供することを目的とする。
【課題を解決するための手段】
【０００８】
本発明のディスプレイ装置は、映像を表示する映像表示部を前面に有し前記映像表示部の側面外周に複数のラグを設けた平面表示パネルと、前記平面表示パネルの前面部に取付けられるフロントキャビネットと、前記フロントキャビネットの内面において前記複数のラグに対向する位置にそれぞれ取り付けられた複数の固定金具と、前記平面表示パネルの背面に取付けられ、前記複数のラグと対向する位置にそれぞれ固定片が設けられたシャーシフレームと、前記シャーシフレームの複数の固定片と前記平面表示パネルの複数のラグとを固定して前記シャーシフレーム及び前記平面表示パネルを一体化するとともに、前記複数の固定片と複数のラグを前記固定金具に固定するための固着具とを具備したことを特徴とする。
【０００９】
また、本発明のディスプレイ装置は、映像を表示する映像表示部を前面に有し前記映像表示部の側面外周に複数のラグを設けた平面表示パネルと、前記平面表示パネルの前面部に取付けられるフロントキャビネットと、前記フロントキャビネットの内面において前記複数のラグに対向する位置にそれぞれ取り付けられた複数の固定金具と、前記平面表示パネルの背面に取付けられ、前記複数のラグと対向する位置にそれぞれ固定片が設けられたシャーシフレームと、前記シャーシフレームの複数の固定片と前記平面表示パネルの複数のラグとを固定して前記シャーシフレーム及び前記平面表示パネルを一体化するとともに、前記複数の固定片と複数のラグを前記固定金具に固定するための固着具と、前記シャーシフレームを覆い前記フロントキャビネットと一体的に固定され、背面に壁面取付け用部材を設けたバックカバーとを具備したことを特徴とする。
【発明の効果】
【００１０】
本発明のディスプレイ装置は、平面表示パネルのサイズが大型であっても、壁掛け型に適した構造であり、かつ、フロントキャビネット、平面表示パネル、及びシャーシフレームの組み立て作業が容易なディスプレイ装置を提供することができる。
【発明を実施するための最良の形態】
【００１１】
以下、図面を参照して本発明の実施形態について詳細に説明する。
【実施例１】
【００１２】
図１は、本発明の第１の実施形態であるディスプレイ装置の構成を示す分解斜視図である。なお、本発明のディスプレイ装置としては、液晶ディスプレイによるテレビジョン受像機を例に説明するが、液晶ディスプレイに限らず、プラズマディスプレイ等の平面表示パネルを用いたディスプレイ装置に適用することができる。
【００１３】
図１において、テレビジョン受像機１０（以下、テレビセット１０と称する）は、大別して、フロントキャビネット１１、平面表示パネル１７、シャーシフレーム１９及びバックカバー（後述）から構成されている。さらに、これらフロントキャビネット１１、平面表示パネル１７、シャーシフレーム１９を一体的に取付けるため、４つの固定金具１５ａ〜１５ｄが用いられている。尚、説明の便宜状、固定金具１５ａ〜１５ｄを総称して固定金具１５として説明することもある。同様にこれら固定金具１５ａ〜１５ｄに対応して各種の部品がそれぞれ設けられ、固定金具１５ａ〜１５ｄに対応する部品にはそれぞれａ〜ｄの符号を付すが、説明の便宜状、ａ〜ｄの符号を省略して説明する場合もある。
【００１４】
前記平面表示パネル１７は、液晶ディスプレイパネルにバックライト装置（図示せず）を内蔵して一体化したもので、映像表示部（図１では下面側）と、この映像表示部を映像信号によって駆動するための駆動回路をさらに含んでいる。また、平面表示パネル１７の側面４隅には、それぞれパネル保持用のラグ１８ａ〜１８ｄ（ラグ１８ｃ，１８ｄは図示せず）が一体に設けられている。このラグ１８ａ〜１８ｄには、後述するネジ２３ａ〜２３ｄが挿通されるネジ孔等が設けられている。
【００１５】
又,フロントキャビネット１１は、マスク枠１２と、前記平面表示パネル１７の映像表示部が露出する開口部１３を有し、マスク枠１２の４つの角部近傍にそれぞれ固定部１４ａ〜１４ｄ及び位置決め用のボス３７ａ〜３７ｄが設けられており、前記固定金具１５ａ〜１５ｄは、これら固定部１４ａ〜１４ｄとボス３７ａ〜３７ｄに対向して配置される。さらに、この固定部１４ａ〜１４ｄには、後述する固定用のネジ１６ａ〜１６ｄが螺合される雌ネジが形成されている。
【００１６】
又、前記シャーシフレーム１９は、金属部材により構成され全体形状が略箱形に形成され、シャーシフレーム１９の外面（図では上面）には複数の柱２１ａを植設し、これら柱２１ａに回路基板（図示せず）が取り付けられる。これら回路基板は、ディスプレイ装置本体を動作させるための各種回路が印刷配線されたもので、映像信号処理回路や電源回路等が形成されている。また、シャーシフレーム１９には、線材を通すための開口２１ｂが形成されている。
【００１７】
さらにシャーシフレーム１９の側面の４つの角部近傍には、前記ラグ１８ａ〜１８ｄに対向してシャーシ保持用のラグ２２ａ〜２２ｄ（ラグ２２ｃ，２２ｄは図示せず）が突出して設けられている。これらラグ２２ａ〜２２ｄは前記ラグ１８への固定片であり、後述するネジ２３ａ〜２３ｄが挿通されるネジ孔等が形成されている。
【００１８】
一方、固定金具１５は、ネジ２３ａ〜２３ｄによって平面表示パネル１７のラグ１８ａ〜１８ｄ及びシャーシフレーム１９のラグ２２ａ〜２２ｄに固定され、ネジ１６ａ〜１６ｄによってフロントキャビネット１１に取り付けられるもので、固着具であるネジ２３ａ〜２３ｄ及びネジ１６ａ〜１６ｄが挿通されるネジ孔が設けられている（詳細は図３にて説明する）。
【００１９】
つまり、平面表示パネル１７の外側に設けられたラグ１８ａ〜１８ｄと、シャーシフレーム１９のラグ２２ａ〜２２ｄ、及び固定金具１５ａ〜１５ｄとがネジ２３ａ〜２３ｄにより一体化されるとともに、固定金具１５ａ〜１５ｄとフロントキャビネット１１とをネジ１６ａ〜１６ｄで固定することにより、フロントキャビネット１１、平面表示パネル１７、シャーシフレーム１９は一体的に取付けられるようになっている。
【００２０】
次に、シャーシフレーム１９、平面表示パネル１７、フロントキャビネット１１のそれざれの要部、及び固定金具１５の構成について、図２〜図５を参照して説明する。尚、図２〜図５は、図１の円Ｐで示す角部をそれぞれ拡大して示す斜視図であるが、他の角部の構成は、同一構成のため、１つの角部のみを示している。
【００２１】
先ず、シャーシフレーム１９のラグ２２の構成について、図２を参照して説明する。シャーシフレーム１９は、平面部２０ａと側面部２０ｂを有し、略箱形に形成され、前記平面表示パネル１７を覆うように位置づけされ、平面部２０ａには、複数の柱２１ａが植設され、この柱２１ａに回路基板（図示せず）が取り付けられている。このシャーシフレーム１９の角部近傍の側面２０ｂの先端には、前記平面部２０ａと平行に略矩形状のラグ２２が延出されており、このラグ２２には、ネジ孔２２ｘ，２２ｙが設けられ、このラグ２２の裏面側には、位置決め要の突起２２ｚが形成されている。
【００２２】
次に、平面表示パネル１７のラグ１８の構成について、図３を参照して説明する。図３において、ラグ１８は、平面表示パネル１７の角部近傍の外周に取付けられている。尚、平面表示パネル１７は前面１７ａと裏面１７ｂを有し、それらの外周部を覆うように外枠１７ｃが装着されており、ラグ１８は、外枠１７ｃから外方向に延びて設けられ、このラグ１８には、ネジ孔１８ｘ、１８ｙ、及び位置決め溝１８ｚが形成されている。
【００２３】
前記シャーシフレーム１９のラグ２２は、前記ラグ１８と対向する位置にあり、前記ネジ孔２２ｙと前記ネジ孔１８ｙには、ネジ２３が挿通されるようにしている。また、前記突起２２ｚが前記溝１８ｚに嵌合することでシャーシフレーム１９と平面表示パネル１７との位置決めを行うことができる。
【００２４】
次に、固定金具１５の構成について図４を用いて説明する。この固定金具１５は、ほぼ矩形状に形成され、平面状の固定部１５ｍと、この固定部１５ｍに段差を有して形成された固定部１５ｎと、この固定部１５ｍの対向する２つの角の近傍に設けられたネジ孔１５ｘと位置決め孔１５ｙ、及び固定部１５ｎに設けられたネジ孔１５ｚとからなっている。
【００２５】
前記ネジ孔１５ｚには、ネジ２３が螺合され、これにより前記平面表示パネル１７のラグ１８とシャーシフレーム１９のラグ２２とが固定金具１５に固定されるようになっている。尚、ネジ孔１５ｘ，孔１５ｙと、前記ネジ孔１５ｚを結ぶ線は、ネジ孔１５ｚを頂点とする三角形を形成する。
【００２６】
又、図５は、フロントキャビネット１１に設けられる固定部１４とボス３７の構成を示す斜視図である。図５において、フロントキャビネット１１は、平面表示パネル１７の前面部外周を覆うように取付けられ、外壁３１と内壁３２、及びそれらの間に形成された平面部３３と、この平面部３３から平面表示パネル１７の方向に設けられた堤部３４とで枠１２（図１参照）を形成している、この堤部３４には、角部を境にして固定部１４及びボス３７が一体的に植設された状態で形成されている。尚、堤部３４と外壁３１との間には、堤部補強片３５ａ〜３４ｆが所定の間隔で形成されている。
【００２７】
前記固定部１４は、円筒状の本体部１４ｘと、その本体部１４ｘを補強するリブ１４ｙからなり、前記本体部１４ｘの中心部には、ネジを螺入するための孔１４ｚが形成されている。又、ボス３７は、円錐柱状の本体部３８と、その本体部３８を補強するリブ３９からなっている。そして、前記固定金具１５の孔１５ｙが前記円錐柱状の本体部３８に嵌合し、前記ネジ孔１５ｘに前記ネジ１６が挿通して前記円筒状の本体部１４ｘに螺合することにより、固定金具１５はフロントキャビネット１１に取付けられるようになっている。
【００２８】
次に、フロントキャビネット１１、平面表示パネル１７、及びシャーシフレーム１９を前記固定金具１５を用いて組立てる手順について説明する。先ず最初に、フロントキャビネット１１の４隅に設けた円錐柱状の本体部３８及び円筒状の本体部１４ｘに前記固定金具１５を位置決めして取付ける。即ち、固定金具１５の孔１５ｙに前記円錐柱状の本体部３８が嵌合し、前記ネジ孔１５ｘに前記ネジ１６を挿通して前記円筒状の本体部１４ｘに螺合して固定金具１５をフロントキャビネット１１に取付ける。
【００２９】
次に平面表示パネル１７の四隅に設けたラグ１８とシャーシフレーム１９の四隅に設けたラグ２２とを位置合わせし、ネジ２３をラグ２２のネジ孔２２ｙからラグ１８のネジ孔１８ｙに挿通させ、さらに前記固定金具１５のネジ孔１５ｚに挿通して締付ける。これにより、平面表示パネル１７は、シャーシフレーム１９に固定保持され、かつ平面表示パネル１７は固定金具１５を介してフロントキャビネット１１に取付けられることになる。又、ラグ２２のネジ孔２２ｘとラグ１８のネジ孔１８ｘに別のネジを挿通して締め付けることにより、ラグ２２とラグ１８をより強く固定することができる。
【００３０】
こうして、フロントキャビネット１１、平面表示パネル１７、及びシャーシフレーム１９は一体化されるが、一体化されたあと、バックカバーでシャーシフレーム１９を覆うようにしている。図６は、バックカバー４１が取付けられたときの表示装置の背面図を示している。この例においては、ディスプレイ装置の底面部にスタンド４２が設けられており、このスタンド４２によって、ディスプレイ装置が支持された場合を示している。又、スタンド４２を取り外すことにより、ディスプレイ装置を壁掛け型として視聴することもできる。
【００３１】
即ち、バックカバー４１の背面には、例えば複数の壁面取付け部材４３が設けられている。この壁面取付け部材４３は、バックカバー４１内のシャーシフレーム１９に一体的に固定された別の金属シャーシと結合しており、この壁面取付け部材４３に壁掛け用の金具（図示せず）を取付け、この壁掛け用の金具を利用することでディスプレイ装置を壁面に取付けることができるようにしている。
【００３２】
このような、壁掛け型としてディスプレイ装置を設置した状態を図７に示している。図７において、平面表示パネル１７は、ネジ２３によってシャーシフレーム１９に取付けられ、シャーシフレーム１９には、別の金属シャーシ１９１が固定され、この金属シャーシ１９１とバックカバー４１に壁面取付け部材４３が取付けられ、この壁面取付け部材４３を壁掛け用の金具４４に固定することにより、ディスプレイ装置は壁面４５に設置されることになる。尚、壁面取付け部材４３や金具４４の構成は詳細に説明していないが、壁に取付けられる形状であればどのような構造のものであっても良い。又、壁面取付け部材４３は、壁掛け用に利用するものであるが、ディスプレイ装置を壁掛け用として使用せず、据置き型として使用する場合には、他の外部機器（ディスプレイ装置に接続して利用する機器、例えばＨＤＤ等）を取付けるための部材として共用することもできる。
【００３３】
この図７から分るように、ディスプレイ装置を壁掛け型として利用した場合、平面表示パネル１７は、シャーシフレーム１９によって支持されるため、ディスプレイ装置の重心はシャーシフレーム１９側にかかることになる。したがって、壁掛けにした場合に、外部から衝撃が加わっても平面表示パネル１７はシャーシフレーム１９によりしっかり固定されているため、重量物である平面表示パネル１７が壁面から落下するのを防止することができる。
【００３４】
また、シャーシフレーム１９に設けられた回路基板の調整点検等を行う場合には、壁面からディスプレイ装置を取り外してバックカバー４１を外し、ネジ１６を外すことによりフロントキャビネット１１を分離することができる。したがって、シャーシフレーム１９と平面表示パネル１７は接続したまま、シャーシフレーム１９に設けられた回路基板の調整点検が実行できる。さらに、フロントキャビネット１１を交換する場合には同様に簡単にできる。
【００３５】
なお、フロントキャビネット１１、平面表示パネル１７、及びシャーシフレーム１９の組立は、最初にフロントキャビネット１１に固定金具１５を取り付けて固定し、その後で平面表示パネル１７のラグ１８とシャーシフレーム１９のラグ２２を固定金具１５に固定するように説明したが、組立順序はこれに限定されるものではない。
【００３６】
また、固定金具１５には段差部１５ｎを設けているが、この段差部１５ｎは、平面表示パネル１７の映像表示面とフロントキャビネット１１の内壁３２の先端面との間に隙間が生じないようにするために設けられたもので、必ずしも段差部１５ｎを設ける必要はない。
【実施例２】
【００３７】
次に、本発明の第２の実施形態について図８を参照して説明する。図８は平面表示パネル１７をシャーシフレーム１９に取付ける際に、前述したようなラグ１８がない場合の取り付け構造を示すもので、固定金具５１を用いて固定する例を示す斜視図である。
【００３８】
この第２の実施形態に用いる平面表示パネル１７’は、前述した平面表示パネル１７に設けられている四隅のラグ１８は有しておらず、平面表示パネル１７’の外枠１７ｃの四隅の角部に、固定金具５１を取付け、この固定金具５１を利用して、シャーシフレーム１９’に平面表示パネル１７’を取り付けるようにしている。
【００３９】
前記固定金具５１は、平面表示パネル１７’の外枠１７ｃの四隅の角部外周に装着されるもので、パネル装着部５２とパネル固定部５４を有している。パネル装着部５２は、平面表示パネル１７’の側面部に装着されるように直角に折り曲げて形成された側面装着部５３ａと、平面表示パネル１７’の前面側に装着されるように前記側面装着部５３ａから直角に折り曲げて形成された前面装着部５３ｂからなる。またパネル固定部５４は、前記側面装着部５３ａの前面装着部５３ｂとは反対側の端面から直角に外方向に折り曲げて形成されており、このパネル固定部５４にはシャーシフレーム１９’を取り付け固定するためのネジ孔５５ａとフロントキャビネット（図示せず）に取付けるためのネジ孔５５ｂが形成されている。
【００４０】
一方、シャーシフレーム１９’は、四隅の角部の側面部２０ｂ１，２０ｂ２にそれぞれラグ２２ａ１，２２ａ２が形成されている。このラグ２２ａ１，２２ａ２には、ネジ孔２２ｘ１，２２ｘ２と、溝２２ｙ１，２２ｙ２が形成されている。このラグ２２ａ１，２２ａ２は、前記固定金具５１のパネル固定部５４に対向し、かつ、ネジ２２ｘ１，２２ｘ２はパネル固定部５４のネジ孔５５ａに対向し、溝２２ｙ１，２２ｙ２はパネル固定部５４のネジ孔５５ｂに対向している。溝２２ｙ１，２２ｙ２は、ネジ１６を用いてパネル固定部５４をフロントキャビネット（図示せず）に取付ける際に、ネジ１６がラグ２２ａ１，２２ａ２に接触しないように設けられている。
【００４１】
このようなパネル固定金具５１を用いた平面表示パネル１７’とシャーシフレーム１９’との取付方法について説明する。先ず、シャーシフレーム１９’の外枠１７ｃの角部に固定金具５１のパネル装着部５２を装着させる。次にパネル固定金具５１が装着された平面表示パネル１７’の背面側１７ｂからシャーシフレーム１９’を装着する。そしてシャーシフレーム１９’のそれぞれの角部に設けられているラグ２２ａ１，２２ａ２のネジ孔２２ｘ１，２２ｘ２及び固定金具５１のネジ孔５５ａネジ２３を螺合させる。これにより、平面表示パネル１７’は、パネル固定金具５１を介してシャーシフレーム１９’に取付けられる。
【００４２】
さらに、前述したフロントキャビネット１１を平面表示パネル１７’の前面側１７ａから装着し、シャーシフレーム１９’のラグ２２ａ１，２２ａ２に設けた溝２２ｙ１，２２ｙ２から固定金具５１のパネル固定部５４ａ，５４ｂに形成したネジ孔５５ｂを通してネジ１６を螺入し、そのネジ１６をフロントキャビネット１１の固定部１４に螺合させる。
【００４３】
つまり、フロントキャビネット１１は、固定金具５１のパネル固定部５４ａ，５４ｂにネジ１６によって取り付け固定される。これにより、平面表示パネル１７’は、シャーシフレーム１９’に固定金具５１を利用して直接取り付けられ、平面表示パネル１７’の重量は、シャーシフレーム１９’に掛かることになる。
【００４４】
なお、平面表示パネル１７’の外枠１７ｃと固定金具５１との間、あるいは、平面表示パネル１７’の背面側１７ｂとシャーシフレーム１９’の間に、緩衝材等を介装することにより、平面表示パネル１７’が傷つくのを防止することができる。また、この図８の実施形態にあっても、前述したバックカバー４１を取付け、前記壁面取付け部材４３や壁掛け用の金具４４を用いることで壁面４５に設置することができる。
【００４５】
このように本発明のディスプレイ装置によれば、平面表示パネルのサイズが大型であっても、壁掛け型に適した構造であり、かつ、フロントキャビネット、平面表示パネル、及びシャーシフレームの組み立て作業が容易なディスプレイ装置を提供することができる。
【図面の簡単な説明】
【００４６】
【図１】本発明のディスプレイ装置の第１の実施形態の構成を示す分解斜視図。
【図２】本発明のディスプレイ装置の第１の実施形態に用いるシャーシフレームの要部を示す斜視図。
【図３】本発明のディスプレイ装置の第１の実施形態に用いる平面表示パネルの要部を示す斜視図。
【図４】本発明のディスプレイ装置の第１の実施形態に用いる固定金具の斜視図。
【図５】本発明のディスプレイ装置の第１の実施形態に用いるフロントキャビネットの要部を示す斜視図。
【図６】本発明のディスプレイ装置の背面構造を示す背面図。
【図７】本発明のディスプレイ装置を壁掛け型として利用した場合を示す断面図。
【図８】本発明のディスプレイ装置の第２の実施形態の要部構造を示す斜視図。
【符号の説明】
【００４７】
１１…フロントキャビネット、１４…固定部、１５…固定金具、１６…ネジ、１７…平面表示パネル、１８…ラグ、１９…シャーシフレーム、２２…ラグ（固定片）、２３…ネジ（固着具）、４１・・・バックカバー、４３・・・壁面取付け部材、５１・・・パネル固定金具、
５４・・・固定部、２２ａ１、２２ａ２・・・ラグ。
代理人  弁理士  伊藤  進
【図１】
2005260499.tif 000003
【図２】
2005260499.tif 000004
【図３】
2005260499.tif 000005
【図４】
2005260499.tif 000006
【図５】
2005260499.tif 000007
【図６】
2005260499.tif 000008
【図７】
2005260499.tif 000009
【図８】
2005260499.tif 000010